(57)【要約】【課題】購買者に楽しさを与えるとともに、トレーがスリーブ内に確実に収納されていることがわかるようにする。【解決手段】筒状のスリーブ１１内に、その筒軸方向に沿って移動自在にトレー３０を収納し、その移動より出し入れ可能とした紙製包装用容器１０である。トレー３０の底面板３１の、前妻板４２との端縁に起立方向に付勢されるスナップ片３９が起立可能に設けられ、スリーブ１１の妻板１６に、係合孔２１を有する舌片１７が連設される。トレー３０をスリーブ１１内に差し込むと、スナップ片３９が後方を向いた状態となり、前記付勢力により、スナップ片３９の先端縁が係合孔２１による凹部２３の後方側端縁の段部２５に落ち込み、音が発生する。音が発生することにより、トレーがスリーブ内に確実に収納されていることがわかり、購買者が楽しさを体感することができる。【選択図】図５
2008094480.tif 000002
【特許請求の範囲】
【請求項１】
筒状のスリーブ(１１)内に、そのスリーブ(１１)の筒軸方向に沿って前後方向に移動自在にトレー(３０)を収納し、その移動により前記トレー(３０)を前記スリーブ(１１)に出し入れ可能とした紙製包装用容器において、
上記トレー(３０)の外周に、上記移動方向に起伏自在のスナップ片(３９)を設けて前記スナップ片(３９)は、起立する方向に付勢されており、上記スリーブ(１１)の内周に凹部(２３)を設け、この凹部(２３)の後方側端縁を前方側に向かって落ち込む段部(２５)とし、
上記トレー(３０)を上記スリーブ(１１)内に前方に向かって差し込むことにより、上記スナップ片(３９)が、後方に向いた状態で前記付勢力により前記スリーブ(１１)の内周面を摺動するとともに、前記スナップ片(３９)の先端縁が上記段部(２５)に落ち込んで前記スナップ片(３９)が前記凹部(２３)に収納され、
上記スナップ片(３９)が上記凹部(２３)に収納状態で、上記トレー(３０)を後方に向かって引き出すことにより、上記スナップ片(３９)が前記凹部(２３)内で前方に反転して、その反転状態で前記凹部(２３)から離脱することを特徴とする紙製包装用容器。
【請求項２】
上記スナップ片(３９)は、このスナップ片(３９)が上記凹部(２３)の周縁に係止した状態で上記トレー(３０)を後方に向かって引き出すことにより、前方に反転することを特徴とする請求項１に記載の紙製包装用容器。
【請求項３】
上記スリーブ(１１)内の上記凹部(２３)の後方側に、前方側が高くなる係止段部(２４)を設け、上記スナップ片(３９)が前方に向いた状態で、前記トレー(３０)を前記スリーブ(１１)内に前方に向かって差し込むことにより、前記スナップ片(３９)が前記係止段部(２４)に係止して、その係止状態でトレー(３０)をさらに前方に差し込むことにより、前記スナップ片(３９)が後方に反転することを特徴とする請求項１または２に記載の紙製包装用容器。
【請求項４】
上記スリーブ(１１)は、断面四角形であり、前記トレー(３０)は、矩形の底面板(３１)の周縁から立ち上がる左右側面板(３２)および前後妻板(４１、４２)を有し、前記スナップ片(３９)は、前記トレー(３０)の底面板(３１)に前記前妻板(４２)との稜線を回転中心として起伏自在に設けられる切り起こし片であることを特徴とする請求項３に記載の紙製包装用容器。
【請求項５】
上記スリーブ(１１)の前端面を閉じる妻板(１６)を設け、この妻板(１６)の端縁に係合孔(２１)を有する舌片(１７)を連設し、前記舌片(１７)は、前記スリーブ(１１)の内周面に重ねて係止され、その係合孔(２１)の周縁およびスリーブ(１１)の周面により上記凹部(２３)を形成するとともに、前記舌片(１７)の先端縁により上記係止段部(２４)を形成することを特徴とする請求項３または４に記載の紙製包装用容器。
【請求項６】
上記舌片(１７)の先端縁に円弧状の切り欠き(２２)が形成され、上記スナップ片(３９)の先端が上記トレー(３０)の幅方向に沿って直線状に形成されて、そのスナップ片(３９)の先端の幅方向両側縁が前記切り欠き(２２)の周縁に係止することを特徴とする請求項５に記載の紙製包装用容器。
【請求項７】
上記舌片(１７)の係合孔(２１)の上記幅方向両側縁が、前方に向かって互いに接近するテーパ状であり、上記トレー(３０)を後方に向かって引き出すことにより、上記スナップ片(３９)の両側縁が前記係合孔(２１)の両側縁に係合することを特徴とする請求項５または６に記載の紙製包装用容器。
【請求項８】
上記スナップ片(３９)は、その上記幅方向両側縁から上記トレー(３０)の底面板(３１)に後方に延びる切り込みを有することを特徴とする請求項４から７のいずれかに記載の紙製包装用容器。
【発明の詳細な説明】
【技術分野】
【０００１】
この発明は、チョコレートやキャンディーなどの菓子類を入れるトレーを、筒状のスリーブ内に、そのスリーブの筒軸方向に沿って前後に出し入れ可能に設けた紙製の包装用容器に関するものである。
【背景技術】
【０００２】
従来から、上面が開口した箱形のトレーと、一端面が閉じられた角筒状のスリーブとから構成され、菓子類が入れられたトレーをスリーブ内の筒軸方向に出し入れ可能に前後に移動させる紙製の包装用容器が提案されている。
【０００３】
このタイプの包装用容器は、包装を開封した後、スリーブからトレーを引き出して、そのトレーに入れられた菓子類を取り出すことができる（特許文献１  参照）。
【０００４】
【特許文献１】特開２００６−１６１３号公報
【発明の開示】
【発明が解決しようとする課題】
【０００５】
上記包装用容器は、単にトレーをスリーブ内に出し入れして菓子類を取り出せるようになっているので、トレーの出し入れが単調となり面白みに欠け、また、トレーをスリーブ内の奥まで押し込んだ際、確実にトレーがスリーブ内に完全に収納されているのかわかりづらいものであった。
【０００６】
そこで、この発明は、購買者に楽しさを与えるとともに、トレーがスリーブ内に確実に収納されていることがわかるようにすることを課題とする。
【課題を解決するための手段】
【０００７】
上記の課題を解決するために、この発明は、トレーの外周面にスナップ片を起伏自在に設け、このスナップ片は起立方向に付勢され、スリーブの内周面に前方に向かって落ち込む段部を有する凹部を設け、スリーブ内にトレーを前方に向かって差し込むことにより、トレーのスナップ片が後方に向いた状態で、前記付勢力によりスナップ片の先端縁が段部に落ち込んで、スナップ片が凹部に収納されるようにしたのである。
【０００８】
このようにすれば、トレーをスリーブ内に完全に収納すると、後方に向いた状態のスナップ片は、その付勢力により先端縁が段部に落ち込んで、スリーブの内周面に衝突して音を発生させ、スナップ片がスリーブの凹部に収納される。このため、そのスナップ片の先端縁が段部に落ち込む際、あるいは内周面に衝突する際の音や振動により、トレーが完全に収納されたことがわかり、購買者は、その音や振動による出し入れの楽しさを体感することができる。
【０００９】
この発明の構成としては、筒状のスリーブ内に、そのスリーブの筒軸方向に沿って前後方向に移動自在にトレーを収納し、その移動により前記トレーを前記スリーブに出し入れ可能とした紙製包装用容器において、前記トレーの外周に、前記移動方向に起伏自在のスナップ片を設けて前記スナップ片は、起立する方向に付勢されており、前記スリーブの内周に凹部を設け、この凹部の後方側端縁を前方側に向かって落ち込む段部とし、前記トレーを前記スリーブ内に前方に向かって差し込むことにより、前記スナップ片が、後方に向いた状態で前記付勢力により前記スリーブの内周面を摺動するとともに、前記スナップ片の先端縁が前記段部に落ち込んで前記スナップ片が前記凹部に収納され、前記スナップ片が前記凹部に収納状態で、前記トレーを後方に向かって引き出すことにより、前記スナップ片が前記凹部内で前方に反転して、その反転状態で前記凹部から離脱するものを採用することができる。
【００１０】
上記構成において、上記スナップ片は、このスナップ片が上記凹部の周縁に係止した状態で上記トレーを後方に向かって引き出すことにより、前方に反転するものを採用すれば、トレーを引き出す際、凹部の周縁に係止したスナップ片が破損するのを防止することができる。
【００１１】
上記トレーを後方に向かって引き出すことにより、上記スナップ片は前方に反転し、上記スリーブ内の上記凹部の後方側に、前方側が高くなる係止段部を設け、上記スナップ片が前方に向いた状態で、前記トレーを前記スリーブ内に前方に向かって差し込むことにより、前記スナップ片が前記係止段部に係止して、その係止状態でトレーをさらに前方に差し込むことにより、前記スナップ片が後方に反転するものを採用することができる。
【００１２】
このようにすれば、トレーを後方に向かって引き出した後、前記トレーを前記スリーブ内に前方に向かって差し込むと、前記スナップ片を後方に反転させることができる。
【００１３】
また、上記スリーブは、断面四角形であり、前記トレーは、矩形の底面板の周縁から立ち上がる左右側面板および前後妻板を有し、前記スナップ片は、前記トレーの底面板に前記前妻板との稜線を回転中心として起伏自在に設けられる切り起こし片であるものを採用することができる。このようにすると、上記前妻板を折り曲げればスナップ片が起立するので、トレーの組み立て工程を従来のものから変更しなくてよい。
【００１４】
上記スリーブの前端面を閉じる妻板を設け、この妻板の端縁に係合孔を有する舌片を連設し、前記舌片は、前記スリーブの内周面に重ねて係止され、その係合孔の周縁およびスリーブの周面により上記凹部を形成するとともに、前記舌片の先端縁により上記係止段部を形成するものを採用することができる。
【００１５】
このようにすれば、トレーをスリーブ内に前方に差し込むことにより、舌片の先端縁により形成された係止段部にスナップ片が係止し、その係止状態でトレーをさらに差し込むことにより、スナップ片が後方に反転する。
【００１６】
また、上記舌片の先端縁に円弧状の切り欠きが形成され、上記スナップ片の先端が上記トレーの幅方向に沿って直線状に形成されて、そのスナップ片の先端の幅方向両側縁が前記切り欠きの周縁に係止するものであれば、トレーをスリーブ内に前方に差し込むことにより、スナップ片の両側縁が、舌片の切り欠きの縁に沿って軸方向両側から中央に向かって押し付けられるので、スナップ片が後方に反転しやすくなる。
【００１７】
上記舌片の係合孔の上記幅方向両側縁が、前方に向かって互いに接近するテーパ状であり、上記トレーを後方に向かって引き出すことにより、上記スナップ片の両側縁が前記係合孔の両側縁に係合するものを採用することができる。
【００１８】
このようにすれば、スリーブ内に収納されたトレーを後方に向かって引き出すことにより、トレーのスナップ片の両側縁が係合孔の両側縁に係合する。この係合状態で、さらにトレーを引き出すと、スナップ片の両側縁と係合孔の両側縁との両側の係合部を結ぶ線を回転中心にスナップ片が回転するため、スナップ片が前方に反転し易い。
【００１９】
上記スナップ片は、その上記幅方向両側縁から上記トレーの底面板に後方に延びる切り込みを有するものであれば、スナップ片の根元部分が上方にしなるように弾性変形が可能となるため、スナップ片が反転する際、その根元部分が上方に逃げてスムーズな反転が可能となる。
【発明の効果】
【００２０】
以上のように、この発明は、トレーをスリーブ内に完全に収納すれば音が鳴るため、トレーがスリーブ内に確実に収納されていることがわかる。また、音が鳴ることで、購買者は、その音による出し入れの楽しさを体感することができ、付加価値が付与される。
【発明を実施するための最良の形態】
【００２１】
以下、添付図面に基づいてこの発明の第１実施形態を説明する。
この発明の実施形態の紙製包装用容器１０は、図１（ａ）、図３（ａ）に示す各部材のブランクを図２、図４に示すようにスリーブ１１およびトレー３０にそれぞれ組み立てたものであり、板紙製の一端が開放した箱形のスリーブ１１と、このスリーブ１１内を筒軸方向に沿って移動自在のトレー３０とから構成され、そのトレー３０が前記筒軸方向の移動によりスリーブ１１に出し入れ可能となっている。
【００２２】
上記スリーブ１１のブランクは、図１（ａ）に示すように、上面板１２の両側縁に側面板１３を連設し、一方の側面板１３の外側縁に底面板１４を、この底面板１４の外側縁にのり代板１５を連設したものである。上面板１２の一方の端縁に妻板１６を連設するとともに、この妻板１６の端縁に折り目線を介して舌片１７を連設する。
【００２３】
上記舌片１７は、妻板１６との端縁（稜線）から台形に切り抜いて、係合孔２１が形成される。この係合孔２１は、その両斜辺部分となる両側縁（スリーブ１１の幅方向の両側縁）が妻板１６に向かって互いに接近するテーパ状となっている。
【００２４】
上記舌片１７は、その先端縁に円弧状の切り欠き２２が形成され、スリーブ１１が組み立てられれば、そのスリーブ１１の内周面となる底面板１４に重ねられて係止される。舌片１７の係止により妻板１６も係止され、スリーブ１１の前端面が閉じられる。なお、この係止は、切り込みに係止するもの、接着によるものなどを採用することができる。これにより、舌片１７の係合孔２１の周縁および底面板１４により凹部２３が形成される。
【００２５】
この凹部２３は、スリーブ１１の内周面（底面板１４）に、舌片１７が重ねられて形成されるため、その凹部２３の後方側の端縁が、舌片１７の厚み分、前方側に向かって落ち込む段部２５となる。また、前記舌片１７の先端縁とスリーブ１１の内周面とにより、前方に向かって高くなる係合段部２４が形成される。
【００２６】
上記トレー３０をスリーブ１１内に前方に向かって差し込めば、上記係合段部２４に、前方に向いた状態のスナップ片３９が係止し、その係止状態でトレー３０をさらに前方に差し込むことにより、スナップ片３９が後方に反転する（図６参照）。
【００２７】
上記係合孔２１の両側縁がテーパ状となっているので、トレー３０を後方に向かって引き出すと、後述するスナップ片３９の両側縁が係合孔２１の後方側の両側縁に係合する。トレー３０をさらに引き出すと、スナップ片３９の両側縁と係合孔２１の両側縁との両側の係合部を結ぶ線を回転中心にスナップ片３９が回転するため、スナップ片３９が反転して開き易い（図７（ｄ）参照）。
【００２８】
上記両側板面１３の一方の端縁にそれぞれ折り込み片１８を連設し、底面板１４の一方の端縁に重ね合わせ板１９を、他方に折り返し片２０を連設している。この折り返し片２０は、トレー３０を後方に向かって引き出すことにより、トレー３０の底面板３１の切り込み３７に差し込まれた折り返し板３５の先端縁と係合し、トレー３０の脱落を防止する。
【００２９】
図１（ａ）に示すブランクからスリーブ１１を組み立てるには、図１に示すように、上面板１２に対し両側板１３および妻板１６を起立させて、舌片１７、折り返し片２０を内側に折り込む。さらに、のり代板１５を側面板１３に重ねて貼り付け、妻板１６に底面板１４の重ね合わせ板１９を貼り付ける。これにより、図２（ａ）、（ｂ）に示すように、スリーブ１１が形成される。
【００３０】
上記トレー３０のブランクは、図３（ａ）に示すように、底面板３１の両側縁に側面板３２を連設すると共に、底面板３１の両端縁に内端板３３および外端板３４を順次連設し、さらに両外端板３４の外端縁に折り返し板３５を連設する。側面板３２の両側縁に折り込み片３６を設けた構成となっている。
【００３１】
上記底面板３１の一方の内端板３３寄りにコの字状の切り込み３７が設けられ、この切り込み３７は、その中央部分がＶ字状に凹んでおり、その両側部分がその内端板３３に向かって延びている。上記トレー３０を組み立てた際、図４に示すように、このＶ字状部分に折り返し板３５の端縁を挿し込んで、前妻板４２が形成される。
【００３２】
また、上記一方の内端板３３には、上記底面板３１との端縁（稜線）からコの字状に切り込み、さらにその端縁（稜線）と交差して底面板３１にまで切り込んだスナップ片３９が設けられる。このスナップ片３９は、トレー３１が組み立てられれば、トレー３０の底面板３１に前妻板４２との稜線を回転中心として起伏自在に設けられる切り起こし片となり、底面板３１に向かって折り曲げれば、底面板３１に対して起立方向に付勢される。また、前記前妻板４２を折り曲げればスナップ片３９が起立するので、組み立て工程を従来のものから変更する必要がない。
【００３３】
上記スナップ片３９の先端は、上記トレー３０の幅方向に沿って直線状に形成される。スナップ片３９の先端が直線状であれば、スナップ片３９の先端の幅方向の両側が上記舌片１７の切り欠き２２の周縁に係止する。この係止状態でスリーブ１１内にトレー３０を前方に差し込むと、スナップ片３９の両側が切り欠き２２の縁に沿って中央に向かうように押し付けられ、スナップ片３９が後方に向かって反転する。
【００３４】
上記スナップ片３９は、その両側から底面板３１にそれぞれ前方に向かって延びる切り込みを有しているので、トレー１１を組み立てれば、その根元部分が図中矢印に示すように、上向きにしなるように弾性変形が可能となり、スナップ片３９の根元部分が弾性変形すれば、付勢力が大きくなる（図６（ｂ）参照）。また、付勢力が大きくなるとともに、スナップ片３９の反転の際、その根元部分が上方に逃げてスムーズな反転が可能となる。なお、その反転の際、スリーブ３０の底面板３１の変形も期待することができる。
【００３５】
また、他方の内端板３３寄りにも切り込み３８が設けられる。この切り込み３８は、トレー３０の幅方向に設けられ、その中央部分が他方の内端板３３に向かってＶ字状に凹んでおり、上記トレー３０を組み立てた際、このＶ字状部分に折り返し板３５の端縁を挿し込んで、後述する後妻板４１が形成される（図４参照）。
【００３６】
上記一方の内端板３３側の外端板３４は、折り返し板３５との端縁（稜線）からコの字状に切り込み、さらにその端縁（稜線）を交差して折り返し板３５にまで達して切り込んで、その端縁（稜線）を挟んで切り抜いた切り抜き孔４０を有する。
【００３７】
この切り抜き孔４０の、折り返し板３５にまで達する切り込みにより、折り返し板３５の切り込みの間の部分を上向きに変形させることができる。その変形により、前方に向かって上記トレー３０をスリーブ１１内に差し込んで、図６（ｂ）に示すように、スナップ片３９が舌片１７に摺接する際、スナップ片３９の根元部分の上方への弾性変形の邪魔にならず、スナップ片３９が弾性変形しやすくなる。
【００３８】
一方、上記トレー３０を組み立てるには、図３（ｂ）に示すように、底面板３１に対して両側面板３２および両内端板３３を起立させ、両側面板３２の折り込み片３６を内側に折り曲げる。さらに両外端板３４を内向きに折り曲げて、折り返し板３５を谷折りして、その端縁を切り込み３７、３８に挿し込む。このように組み立てることにより、図４に示すように、トレー３０が形成され、その底面板３１の両側縁に左右側面板３２が、前後端縁に前後妻板４２、４１が形成される。
【００３９】
上記のように組み立てられた、図５に示すスリーブ１１およびトレー３０は、まず、トレー３０がその前妻板４２側からスリーブ１１内に前方に向かって差し込まれる。差し込まれたトレー３０は、そのスナップ片３９が舌片１７の先端縁に係合段部２４となる切り欠き２２に係合する（図６（ａ）参照）。さらに押し込むと、図７（ａ）に示すように、舌片１７の切り欠き２２を円弧状に設けたため、スナップ片３９の両側縁が切り欠き２２の縁に沿って幅方向両側から中央に向かうように押し付けられ、スナップ片３９が後方に向かって反転する。スナップ片３９が反転するとともにそのスナップ片３９は、起立方向に付勢力が働く。
【００４０】
上記トレー３０をさらに前方に向かって押し込むと、図６（ｂ）に示すように、スナップ片３９は、後方に向いた状態でスリーブ１１の舌片１７に乗り上げて、上記付勢力により舌片１７を摺動する。このとき、スナップ片３９の根元部分が上向きにしなるように弾性変形した状態となる（図７（ｂ）参照）。
【００４１】
次に、上記トレー３０を前方に向かってさらに押し込み、図６（ｃ）に示すように、トレー３０がスリーブ１１に完全に収納されると、スナップ片３９が、係合孔２１による凹部２３の後端縁の段部２５に落ち込んで凹部２３に収納される。このとき、スナップ片３９は、起立方向に付勢されているので、その先端縁が凹部２３を通して底面板１４に衝突して、音を発生させる（図７（ｃ）参照）。
【００４２】
上記トレー３０の収納時に音が発生すれば、トレー３０がスリーブ１１内に確実に収納されていることがわかる。さらに、購買者が楽しさを体感することができ、商品の付加価値が向上する。
【００４３】
上記スリーブ１１内に収納された状態のトレー３０を引き出すと、図６（ｄ）に示すように、トレー３０のスナップ片３９は、その両側部が係合孔２１の両側縁（スリーブ１１の幅方向の両側縁）の後方側の縁に係合する（図７（ｄ）参照）。この係合状態でさらにトレー３０を後方に向かって引き出すと、図６（ｅ）に示すように、スナップ片３９が前方に反転し、その反転した状態で凹部２３から離脱して、スリーブ１１内を摺動する（図７（ｅ）参照）。
【００４４】
次に、この発明の第２実施形態を図８から図９に示す。この実施形態は、図９に示すように、スリーブ１１を２分割し、その分割したそれぞれのスリーブ１１ａ、１１ｂの妻板１６に舌片１７を連設し、トレー３０の底面板３１の両端にスナップ片３９を形成した点で前述した実施形態の場合と相違し、その他の構成は前述した実施形態の場合と同様である。
【００４５】
この実施形態において、図８（ａ）、（ｂ）に示す各ブランクを組み立てて、トレー３０の両側から分割スリーブ１１ａ、１１ｂをそれぞれ内向きに差し込む（図９（ｂ）参照）。そして、それぞれのスリーブ１１ａ、１１ｂにトレー３０を完全に収納すれば、トレー３０のスナップ片３９の先端縁が、スリーブ１１ａ、１１ｂの舌片１７の係合孔２１の周縁および底面板１４による凹部２３の段部２５に落ち込む。このとき、底面板１４に衝突して音が発生し（図９（ａ）参照）、スナップ片３９が凹部２３に収納される。
【００４６】
さらに、それぞれの分割スリーブ１１ａ、１１ｂを、トレー３０に対して外向きに引き出した際、その折り返し片２０がトレー３０の底面板３１の切り込み３７に差し込まれた外端板３５の先端縁と係合するので、トレー３１から脱落しない。
【００４７】
この発明の第３実施形態を図１０、１１に示す。この実施形態において、図１０に示すスリーブ１１およびトレー３０のブランクは、スリーブ１１の底面板１４に連設された折り返し片２０を、両側面板１３の他方の端縁にそれぞれ連設し、トレー３０の一方の内端板３３の両側にストッパー片４３、４３をそれぞれ連設した点で前述した第１実施形態の場合と相違し、その他の構成は第１実施形態の場合と同様である。
【００４８】
この実施形態では、図１１に示すように、トレー３０を後方に向かって引き出すと、その両ストッパー片４３、４３がスリーブ１１の両折り返し片２０に相互に係合するので、トレー３０からスリーブ１１が脱落しない。
【００４９】
この発明の第４実施形態を図１２に示す。この実施形態は、同図に示すように、トレー３０の底面板３１を、内端板３３との稜線から山形に切り起こしてストッパー片４３を形成した点で第２実施形態の場合と相違し、その他の構成は第２実施形態の場合と同様である。
【００５０】
この実施形態では、分割スリーブ１１ａ、１１ｂのそれぞれをトレー３０に対して外向き（後方に向かって）に摺動させると、各分割スリーブ１１ａ、１１ｂの折り返し片２０が、トレー３０のストッパー片４３に係合して、トレー３０から各分割スリーブ１１ａ、１１ｂが脱落しない。
【００５１】
この発明の第５実施形態を図１３に示す。この実施形態は、同図に示すように、トレー３０の側面板３２に上面板４４を連設し、その上面板４４に開口４５が形成された点で第３実施形態の場合と相違し、その他の構成は第３実施形態の場合と同様である。
【図面の簡単な説明】
【００５２】
【図１】（ａ）この発明の第１実施形態の包装用容器のスリーブの展開図、（ｂ）同上のスリーブの組み立て状態を示す斜視図
【図２】（ａ）同上のスリーブを示す斜視図、（ｂ）同上のスリーブを示す中間部省略の拡大断面図
【図３】（ａ）同上のトレーの展開図、（ｂ）同上のトレーの組み立て状態を示す斜視図
【図４】（ａ）同上のトレーを示す底面側からの斜視図、（ｂ）同上のトレーを示す中間部省略の拡大断面図
【図５】（ａ）同上の包装用容器を示す斜視図、（ｂ）同上の包装用容器を示す中間部省略の拡大断面図
【図６】（ａ）〜（ｅ）同上の包装用容器の使用状態を示す要部断面図
【図７（Ａ）】（ａ）〜（ｃ）同上の包装用容器の使用状態を示す底面側からの一部切り欠き斜視図
【図７（Ｂ）】（ｄ）、（ｅ）同上の包装用容器の使用状態を示す底面側からの一部切り欠き斜視図
【図８】（ａ）第２実施形態の包装用容器のトレーの展開図、（ｂ）同上のスリーブの展開図
【図９】（ａ）同上の包装用容器を示す斜視図、（ｂ）同上のスリーブを引き出した状態を示す底面側からの一部切り欠き斜視図
【図１０】（ａ）第３実施形態の包装用容器のスリーブの展開図、（ｂ）同上のトレーの展開図
【図１１】（ａ）同上のトレーの組み立てた状態を示す斜視図、（ｂ）同上のトレーのストッパー部分を示す要部断面図
【図１２】第４実施形態の包装用容器のスリーブを引き出した状態を示す底面側からの一部切り欠き斜視図
【図１３】第５実施形態の包装用容器のトレーを示す斜視図
【符号の説明】
【００５３】
１０  包装用容器
１１  スリーブ
１１ａ  分割スリーブ
１１ｂ  分割スリーブ
１２  上面板
１３  側面板
１４  底面板
１５  のり代板
１６  妻板
１７  舌片
１８  折り込み片
１９  重ね合わせ板
２０  折り返し片
２１  係合孔
２２  切り欠き
２３  凹部
２４  係合段部
２５  段部
３０  トレー
３１  底面板
３２  側面板
３３  内端板
３４  外端板
３５  折り返し板
３６  折り込み片
３７  切り込み
３８  切り込み
３９  スナップ片
４０  切り抜き孔
４１  後妻板
４２  前妻板
４３  ストッパー片
４４  上面板
４５  開口
【図１】
2008094480.tif 000003
【図２】
2008094480.tif 000004
【図３】
2008094480.tif 000005
【図４】
2008094480.tif 000006
【図５】
2008094480.tif 000007
【図６】
2008094480.tif 000008
【図７（Ａ）】
2008094480.tif 000009
【図７（Ｂ）】
2008094480.tif 000010
【図８】
2008094480.tif 000011
【図９】
2008094480.tif 000012
【図１０】
2008094480.tif 000013
【図１１】
2008094480.tif 000014
【図１２】
2008094480.tif 000015
【図１３】
2008094480.tif 000016